(57)【要約】【課題】１度に多数枚のメダルが連続して投入されても、確実に偽メダルを排除できるようにする。【解決手段】メインプレート１には、通路を転動してきたメダルを対向側へ押し付ける第１押圧部材５及び第２押圧部材７をメダルの転動方向に並設している。選別プレート２は、メインプレート１に対向して一定の間隔を開けて設けられており、投入口３から投入されたメダルを転動させるように傾斜した案内レール１９が下端部に設けられ、案内レール１９から上縁１８までの高さを正規のメダルよりわずかに小さくした切欠部１７が設けられている。また、切欠部１７の下縁から外側斜め上方に延びるように傾斜壁２０が設けられている。小径の偽メダルは、案内レール１９を転動していきながら、二つの押圧部材５，７によって確実に傾斜壁２０側に倒され、案内レール１９から外れて偽メダル返却口１０に落下する。【選択図】図１
2004199337.tif 000002
【特許請求の範囲】
【請求項１】
円板体投入口から投入された円板体を受入口方向へ転動させるように傾斜した案内レールと、
該案内レールの一方の側縁に沿って設けられ、前記案内レールから上縁までの高さが正規の円板体の外径よりわずかに小さくなるように形成された切欠部と該切欠部の下縁から外側斜め上方に延びるように形成された傾斜壁とを有する第１のプレートと、
前記案内レールの他方の側縁に沿って設けられ、案内レール上を転動する円板体を前記切欠部の方へ押し付ける第１押圧部材及び第２押圧部材を転動方向に並設した第２のプレート
とを具えたことを特徴とする円板体選別装置。
【請求項２】
前記第１押圧部材と第２押圧部材を、回転軸を中心にして前記第１のプレートの方向へ回動自在とし、かつ、回転軸の先端部を尖らせて、軸受部で点接触により支持させたことを特徴とする請求項１記載の円板体選別装置。
【発明の詳細な説明】
【０００１】
【発明の属する技術分野】
本発明は、硬貨あるいはスロットマシンのような遊技機等において用いられるメダル，トークン等の円板体の真偽を判別して選別する円板体選別装置に関するものである。
【０００２】
【従来の技術】
図７は、従来の円板体選別装置の主要部断面図である。第１のプレート４１と、この第１のプレート４１と所定の間隔をあけて第２のプレート４５が取り付けられている。これらの第１のプレート４１と第２のプレート４５の間の下端部長手方向には、案内レール４８設けられていて、第１のプレート４１と第２のプレート４５の間にメダル通路が形成されている。
【０００３】
第２のプレート４５の側壁には、バネにより矢印方向に付勢されるメダル押圧片４７が設けられており、第１のプレート４１には、切欠部４２が形成されている。切欠部４２の上縁４３は、案内レール４８上面からの高さが正規のメダルＭの外径よりほんのわずか小さくなるように形成されている。
【０００４】
そして、上部のメダル投入口に投入されたメダルＭが案内レール４８の上を転動してメダル押圧片４７が設けられている箇所まで来ると、メダルＭは、メダル押圧片４７により切欠部４２の方に押される。そのとき、メダルＭが正規のメダルであれば、図７（イ）に示すように、メダル上端が切欠部４２の上縁４３に引っ掛かって、倒れることなくそのまま転動を続け、メダル受入口に送られる。しかし、メダルＭが正規のメダルより外径がわずかに小さい偽メダルであれば、図７（ロ）に示すように、メダルＭは、メダル押圧片４７により押されて切欠部４２の方に倒れ、下端部が案内レール４８から外れる。その結果、メダルＭは、落下して返却口に送られる。
【０００５】
また、正規のメダルより外径が大きい偽メダルに対しては、メダル投入口のサイズを正規のメダルがギリギリ通れる大きさにし、外径が大きい偽メダルはメダル投入口を通過できないことにより排除できるようにしている。従来の円板体選別装置は、このようにして正偽のメダルを選別していた。
【０００６】
なお、このような円板体選別装置に関連する従来の文献としては、例えば、次のようなものがある。
【０００７】
【特許文献１】
特開２００１−１６１８９８号公報(A63F 5/04)
【特許文献２】
特開２００１−１５５２０７号公報(G07D 5/02)
【０００８】
【発明が解決しようとする課題】
ところで、スロットマシンでは、１度に多数枚のメダルを連続して投入することができるようになっているため、メダル投入口に投入された前後のメダルが互いに接触した状態で連なって円板体選別装置のメダル通路に入ってくることがある。そのような場合、上記従来の円板体選別装置では、偽メダルがメダル押圧片４７の箇所にきて押されても、前後のメダルにより支えられて切欠部４２の方に倒れずにそのまま通過してしまい、偽メダルをそのまま受け入れてしまうことがあるという問題点があった。
【０００９】
本発明は、そのような問題点に鑑み、１度に多数枚のメダルが連続して投入されても、確実に偽メダルを排除できるようにすることを目的とするものである。
【００１０】
【課題を解決するための手段】
前記課題を解決するため、請求項１に記載の円板体選別装置は、円板体投入口から投入された円板体を受入口方向へ転動させるように傾斜した案内レールと、該案内レールの一方の側縁に沿って設けられ、前記案内レールから上縁までの高さが正規の円板体の外径よりわずかに小さくなるように形成された切欠部と該切欠部の下縁から外側斜め上方に延びるように形成された傾斜壁とを有する第１のプレートと、前記案内レールの他方の側縁に沿って設けられ、案内レール上を転動する円板体を前記切欠部の方へ押し付ける第１押圧部材及び第２押圧部材を転動方向に並設した第２のプレートとを具えたことを特徴とする。このようにすると、１度に多数枚のメダルが連続して投入されても、確実に偽メダルを排除できる。
【００１１】
また、請求項２に記載の円板体選別装置は、前記第１押圧部材と第２押圧部材を、回転軸を中心にして前記第１のプレートの方向へ回動自在とし、かつ、回転軸の先端部を尖らせて、軸受部で点接触により支持させたことを特徴とする。このようにすると、回転軸の回転摩擦が小さくなって、第１押圧部材，第２押圧部材の動作が素早くなるとともに、接触面積が小さい関係上、ゴミの付着による影響が小さくなる。
【００１２】
【発明の実施の形態】
以下、本発明の実施の形態を図面に基づいて詳細に説明する。
図１は、本発明の一実施形態を示す図である。図１において、１はメインプレート、２は選別プレート、３はメダル投入口、４は開口、５は第１押圧部材、６，８は回転軸、７は第２押圧部材、９はメダル受入口、１０は偽メダル返却口、１１は正規メダル返却口、１２はシャッター、１３は通過センサ、１４，１５は軸受、１６は回転軸、１７は切欠部、１８は切欠部の上縁、１９は案内レール、２０は傾斜壁、２１，２２は外径規制片である。
【００１３】
メインプレート１は、プラスチックで成形されており、選別プレート２は金属板，例えば、ステンレス板で成形されていて、メインプレート１の軸受１４，１５に選別プレート２の回転軸１６を取り付けることにより、メインプレート１に選別プレート２が開閉自在に取り付けられている。メダルがメダル投入口３から投入され、メインプレート１と選別プレート２の間を通って送られる。そして、正規のメダルであればメダル受入口９に受け入れられ、正規のメダルより外径が小さい偽メダルは、偽メダル返却口１０に落とされる。また、正規のメダルより外径が大きい偽メダルは、外径規制片２１，２２により通過が阻止される。
【００１４】
なお、シャッター１２は、通過センサ１３が所定枚数のメダル通過をカウントしたとき開かれて、案内レール１９を通過した正規のメダルを正規メダル返却口１１に落として返却し、１度に一定枚数以上のメダルが受け入れられるのを防ぐために設けられている。
【００１５】
メインプレート１は、図２に示すように、メダルの通路側面に、開口４が設けられ、そこに、第１押圧部材５と第２押圧部材７が、ほばメダル１個分の間隔をあけて設けられている。そして、第１押圧部材５と第２押圧部材７は、回転軸６，８により、図面の前後方向に回動可能になっている。
【００１６】
図３は、選別プレートの正面図である。選別プレート２の下端部はメインプレート１側に折り曲げられていて、それによりメダル投入口３から投入されたメダルを受けて、メダル受入口９側に転動させるように傾斜した案内レール１９が形成されている。また、案内レール１９の上側には、上縁が案内レール１９と平行で、かつ、案内レール１９から上縁までの高さが正規のメダルの外径よりわずかに小さくなるようにした切欠部１７が設けられている。さらに、該切欠部１７の下縁中間部から外側斜め上方に延びるように傾斜壁２０が形成されている。
【００１７】
なお、正規のメダルより外径が大きい偽メダルの投入を阻止するための外径規制片２１，２２は、選別プレート２の一部をメインプレート１側に折り曲げることにより形成されている。
【００１８】
第１押圧部材５と第２押圧部材７は、図４にメインプレート１の裏側から観た第１押圧部材５と第２押圧部材７を示すように、上部に設けられた錘支持部３２，３５に錘３１，３４が取り付けられていて、それにより、第１押圧部材５と第２押圧部材７の下端部が開口４を通って選別プレート２側に押し出されるように付勢されている。また、回転軸６，８の先端部は尖っていて、軸受部２３，２４の内側面と点接触により支持されており、それにより回転摩擦を小さくするとともに、ゴミの付着による影響が小さくなるようにしている。なお、図４における符号３３，３６は、第１押圧部材５と第２押圧部材７が選別プレート２側に一定以上出ないようにするためのストッパである。
【００１９】
このような円板体選別装置において、メダル投入口３から投入されたメダルは、外径規制片２１，２２の間隔より小径であれば、外径規制片２１，２２を通過してメインプレート１と選別プレート２の間を落下し、案内レール１９に当たって案内レール１９の上をメダル受入口９の方向に転動していく。そして、その際、メダルは、順次、第１押圧部材５と第２押圧部材７により選別プレート２側に押され、選別プレート２の切欠部１７により正偽のメダルが選別される。
【００２０】
図５は、本発明の円板体選別装置によるメダル選別動作説明図である。図５（イ）は、正規のメダルＭが投入され第１押圧部材５の位置に来た場合を示している。案内レール１９から切欠部上縁１８までの高さは、正規のメダルよりわずかに小さくなっているので、メダルＭが正規のメダルであれば、第１押圧部材５で押されてもメダルＭの上端部が切欠部上縁１８に受け止められて、メダルＭは切欠部１７に倒れ込むことなくそのままメダル受入口９の方向に転動していく。
【００２１】
一方、偽メダルＭが投入された場合は、図５（ロ）に示されるように、メダルＭは、第１押圧部材５で押されて、上端部が切欠部上縁１８に引っ掛かることなく切欠部１７に倒れ込む。そして、傾斜壁２０により切欠部１７を通り抜けないように支えられながら、メダルＭの下端部が案内レール１９から外れて、下の偽メダル返却口１０の方に落下する。そのようにして、正偽のメダルの選別が行われる。なお、図５では、メダル押圧部材として第１押圧部材５のみを示しているが、第２押圧部材７でも同様な動作で選別が行われる。
【００２２】
次に、本発明の円板体選別装置に、メダルを連続して投入した場合を説明する。図６は、メダルを連続して投入した場合を示す図である。メダルＭ1，Ｍ2，Ｍ3が連続して投入され、互いに接触した状態で案内レール１９に入ってきた場合、例えば、真中のメダルＭ2が正規のメダルよりわずかに小径の偽メダルであっても、第１押圧部材５により押されても両側のメダルＭ1，Ｍ3により支えられて切欠部１７側に倒れず、そのまま案内レール１９上を転動する。しかしながら、本発明の円板体選別装置では、第１押圧部材５の下流側にもう一つの第２押圧部材７が設けられているため、偽メダルＭ2は下流側へ転動していく過程で第２押圧部材７により倒され、偽メダル返却口１０の方に落とされる。
【００２３】
本発明の円板体選別装置では、メダルが連続して投入されても、そのようにして、偽メダルを確実に排除することができる。また、第１押圧部材５と第２押圧部材７の回転軸６，８の先端部を尖らせて、軸受部２３，２４の内側面で点接触により支持させており、回転摩擦が小さくなって第１押圧部材５，第２押圧部材７の動作が素早くなる。そして、スロットマシン等の遊技機に用いられた場合、たばこの灰等のゴミが円板体選別装置の内部に入ってくる可能性が高く、また、メインプレート１がプラスチック製であるためメダルが擦れて削りカスが発生するが、そのような状況下においても、点接触式の軸受は、接触面積が小さい関係上、ゴミや削りカスの付着による影響が小さくなるという利点もある。
【００２４】
【発明の効果】
本発明は、以上説明したように構成されているので、次に記載するような効果を奏する。
すなわち、請求項１に記載の円板体選別装置は、案内レール上を転動する円板体を切欠部の方へ押し付ける第１押圧部材及び第２押圧部材を転動方向に並設したので、１度に多数枚のメダルが連続して投入されても、確実に偽メダルを排除できる。
【００２５】
また、請求項２に記載の円板体選別装置は、第１押圧部材と第２押圧部材の回転軸の先端部を尖らせて、軸受部で点接触により支持させたので、回転軸の回転摩擦が小さくなって、第１押圧部材，第２押圧部材の動作が素早くなるとともに、接触面積が小さい関係上、ゴミの付着による影響が小さくなる。
【図面の簡単な説明】
【図１】本発明の一実施形態を示す図である。
【図２】メインプレートの正面図である。
【図３】選別プレートの正面図である。
【図４】メインプレート裏側のメダル押圧部を示す図である。
【図５】本発明の円板体選別装置によるメダル選別動作説明図である。
【図６】メダルを連続して投入した場合を示す図である。
【図７】従来の円板体選別装置の主要部断面図である。
【符号の説明】
１…メインプレート
２…選別プレート
３…メダル投入口
４…開口
５…第１押圧部材
７…第２押圧部材
９…メダル受入口
１０…偽メダル返却口
１７…切欠部
１８…切欠部上縁
１９…案内レール
２０…傾斜壁
２１，２２…外径規制片
３１，３４…錘
【図１】
2004199337.tif 000003
【図２】
2004199337.tif 000004
【図３】
2004199337.tif 000005
【図４】
2004199337.tif 000006
【図５】
2004199337.tif 000007
【図６】
2004199337.tif 000008
【図７】
2004199337.tif 000009